(57)【要約】  アナログビデオ信号を表示装置に正しく再生する再生装置である。記録媒体上のデジタルオーディオ信号とこれに同期したデジタルビデオ信号の再生部（５）と、オーディオ信号記憶部（８）と、ビデオ信号記憶部（１１）と、デジタルオーディオ信号の外部機器への伝送、及び、その伝送レートを制御するレート制御コマンドの受信を行うインターフェイス部（９）と、受信したレート制御コマンドに応じて変動する、デジタルオーディオ信号の伝送レートを制御するためのクロックを発振する第１発振部（１４）と、ビデオ信号記憶部（１１）からのデジタルビデオ信号を変換するＤＡＣ（１３）と、そのアナログビデオ信号を直交変調して作られた色信号を含むアナログビデオ信号に変換して表示装置に出力するビデオ信号出力部（１７）と、そのアナログビデオ信号の出力レートを一定に制御するための固定クロックを発振する第２発振部（１５）を備える。【特許請求の範囲】
【請求項１】
記録媒体に記録されたデジタルオーディオ信号及び当該デジタルオーディオ信号に同期したデジタルビデオ信号を再生する再生部と、
前記再生部が再生したデジタルオーディオ信号を記憶し、読出すオーディオ信号記憶部と、
前記再生部が再生したデジタルビデオ信号を記憶し、読出すビデオ信号記憶部と、
前記再生部が再生したデジタルオーディオ信号の外部機器への伝送、及び、当該伝送の伝送レートを制御するレート制御コマンドの受信を行うインターフェイス部と、
前記インターフェイス部が受信したレート制御コマンドに応じて変動する、前記インターフェイス部からのデジタルオーディオ信号の伝送レートを制御するためのクロックを発振する第１発振部と、
前記ビデオ信号記憶部から読み出されたデジタルビデオ信号をアナログビデオ信号に変換する変換部と、
前記変換部からのアナログビデオ信号を、直交変調して作られた色信号を含むアナログビデオ信号に変換して表示装置に出力するビデオ信号出力部と、
前記ビデオ信号出力部からのアナログビデオ信号の出力レートを一定に制御するための固定クロックを発振する第２発振部と、
を備える、ことを特徴とする再生装置。
【請求項２】
請求の範囲第１項に記載の再生装置において、
前記ビデオ信号出力部は、前記変換部からのアナログビデオ信号を、アナログコンポジット信号又はアナログS-Video信号に変換して表示装置に出力することを特徴とする再生装置。
【請求項３】
請求の範囲第１項又は第２項に記載の再生装置において、
前記再生部は前記第１発振部が発振したクロックに基づいて再生し、
前記ビデオ信号記憶部は、前記第２発振部が発振したクロックに基づいて記憶したデジタルビデオ信号を読出すことを特徴とする再生装置。
【請求項４】
請求の範囲第１項乃至第３項のいずれか一項に記載の再生装置において、
前記ビデオ信号記憶部に記憶されたデジタルビデオ信号の量を監視し、量に応じて前記ビデオ信号記憶部に記憶されたデジタルビデオ信号の補間処理を行う補間処理部を備えることを特徴とする再生装置。
【発明の詳細な説明】
【技術分野】
【０００１】
本発明は、記録媒体に記録されたデジタルオーディオ信号とデジタルビデオ信号とを同期再生する技術に関する。
【背景技術】
【０００２】
従来、ＩＥＥＥ(Institute of Electrical and Electronic Engineers)−１３９４規格に準拠したデジタルインターフェイス（以下、ＩＥＥＥ１３９４インターフェイスという）を備えたＤＶＤ（Digital Versatile Disc）プレーヤ等の再生装置がある（例えば、日本の特開平１１−３３９３８６号公報参照）。【０００３】
図３に基づき、従来のＤＶＤプレーヤが他機器とＩＥＥＥ１３９４インターフェイスを介して接続された例を説明すると、ＤＶＤプレーヤ１００と、ＡＶ（Audio Visual）アンプ２００とをＩＥＥＥ１３９４シリアルバス３００で接続することにより、ＤＶＤに記録されたデジタルオーディオ信号をＡＶアンプへ伝送することができる。また、ＤＶＤに記録されたマルチチャンネルオーディオ信号に同期したビデオ信号は、ＤＶＤプレーヤ１００からビデオコード４００により接続された表示装置（例えば、Television）５００に出力される。【０００４】
ＩＥＥＥ１３９４インターフェイスを備えたＤＶＤプレーヤの多くは、ＩＥＥＥ−１３９４規格において規定されたＡ＆Ｍプロトコル（Audio and Music Data Transmission Protocol）のフォーマットに変換したデジタルオーディオ信号を伝送する。このＡ＆Ｍプロトコルは、デジタルオーディオ信号とこれに付随する補助データを伝送するためのプロトコルであるが、ビデオ信号の伝送はサポートしない。【０００５】
ここで、従来のＩＥＥＥ１３９４インターフェイスを介して互いに接続された機器は、それぞれ独立した動作クロックを発振するクロック源を備える。したがって、図３に示すように、ＤＶＤプレーヤ１００とＡＶアンプ２００がＩＥＥＥ１３９４シリアルバスにより接続されていても、各クロック源から発振されるクロックの周波数は通常一致しない。このため、ＤＶＤプレーヤ１００とＡＶアンプ２００との間で信号処理のタイミングにずれが生じ、ＤＶＤプレーヤ１００からＡＶアンプ２００へデジタルオーディオ信号を伝送するとジッタが発生する。【０００６】
このオーディオ信号のジッタを低減させるために、上述したＡ＆Ｍプロトコルには、伝送レート制御規格（例えば、AV/C Command Set for Rate Control of Isochronous Data Flow 1.0）が用意されている。この規格について図３を例として説明する。ＡＶアンプ２００は、上記の規格の非同期プロトコルにより、内蔵するクロック源から発振されるクロックの周波数に基づいたレート制御コマンドをＤＶＤプレーヤ１００に出力する。ＤＶＤプレーヤ１００は、ＡＶアンプ２００から受信したレート制御コマンドに基づいて、内蔵するクロック源から発振するクロックの周波数を変動させＡＶアンプ２００に備えられたクロック源のクロックの周波数に合わせることにより、ＡＶアンプ２００へ送信するデジタルオーディオ信号の伝送レートを制御する。これにより、ＤＶＤプレーヤ１００とＡＶアンプ２００との間の伝送路で発生するジッタを低減させることができる。【０００７】
更に、ＤＶＤプレーヤ１００に備えられたクロック源のクロックの周波数にＡＶアンプ２００に備えられたデジタルアナログ変換器の動作クロックの周波数を合わせることにより、ジッタを発生させないことも可能になる。【０００８】
しかし、ＤＶＤプレーヤ等の再生装置が、図３に例示するように、オーディオ信号が伝送されるＡＶアンプ等の機器とは異なる表示装置にビデオ信号を伝送する場合には、表示装置へのビデオ信号の出力形態によっては問題が生じる場合がある。具体的には、再生装置から表示装置に直交変調された色信号を含むアナログビデオ信号（例えば、アナログコンポジット信号、アナログS-Video信号）を伝送する場合に、上記のジッタ防止のための手法は伝送信号に好ましくない影響を与えうる。【０００９】
すなわち、再生装置は、オーディオ信号の出力先から上述したレート制御コマンドを受信すると、受信したレート制御コマンドに基づいてクロック周波数を変動させる。【００１０】
通常、ＤＶＤプレーヤ等の再生装置は同一のクロック源から分周したクロックに基づいて動作しており、オーディオ信号の伝送先である機器からレート制御コマンドを受信した場合、オーディオ信号の伝送レートのみならず、ビデオ信号の出力レートも変動することになる。【００１１】
ここで、アナログコンポジット信号やアナログS-video信号には、色差信号が色副搬送波に対する位相変調信号として輝度信号に多重されている。表示装置は、入力されたこのようなアナログビデオ信号の色副搬送波の周波数及び位相に同期した復調キャリアを生成し、入力されたアナログビデオ信号の色副搬送波と生成した復調キャリアの位相を比較し色差信号を復調する。【００１２】
クロックが変動し、入力されるアナログビデオ信号の出力レートが変動すると、表示装置において色差信号が正しく復調されない場合がある。この結果、表示装置の画面に色ずれが発生したカラー映像が表示されたり、カラー映像がモノクロ映像として表示される虞がある。本発明は、上記従来技術の問題点を解決することを目的とする。
【発明の開示】
【００１３】
本発明の一態様では、記録媒体に記録されたデジタルオーディオ信号及び当該デジタルオーディオ信号に同期したデジタルビデオ信号を再生する再生部と、前記再生部が再生したデジタルオーディオ信号を記憶し、読出すオーディオ信号記憶部と、前記再生部が再生したデジタルビデオ信号を記憶し、読出すビデオ信号記憶部と、前記再生部が再生したデジタルオーディオ信号の外部機器への伝送、及び、当該伝送の伝送レートを制御するレート制御コマンドの受信を行うインターフェイス部と、前記インターフェイス部が受信したレート制御コマンドに応じて変動する、前記インターフェイス部からのデジタルオーディオ信号の伝送レートを制御するためのクロックを発振する第１発振部と、前記ビデオ信号記憶部から読み出されたデジタルビデオ信号をアナログビデオ信号に変換する変換部と、前記変換部からのアナログビデオ信号を、直交変調して作られた色信号を含むアナログビデオ信号に変換して表示装置に出力するビデオ信号出力部と、前記ビデオ信号出力部からのアナログビデオ信号の出力レートを一定に制御するための固定クロックを発振する第２発振部と、を備える、再生装置とする。これによって、デジタルオーディオ信号の伝送レートが変動しても、アナログビデオ信号の出力レートを一定に制御して、直交変調して作られた色信号を含むアナログビデオ信号が表示装置に正しく再生される。
【００１４】
また、前記ビデオ信号出力部は、前記変換部からのアナログビデオ信号を、アナログコンポジット信号又はアナログS-Video信号に変換して表示装置に出力する再生装置とすることもできる。これは、表示装置へ伝送されるアナログビデオ信号の伝送レートが一定とできるため、直交変調された色信号を含むアナログビデオ信号であるアナログコンポジット信号、又はアナログS-Video信号についても、表示装置で正しく復調されるからである。
【００１５】
また、前記再生部は前記第１発振部が発振したクロックに基づいて再生し、前記ビデオ信号記憶部は、前記第２発振部が発振したクロックに基づいて記憶したデジタルビデオ信号を読出す再生装置とすることもできる。これにより、ビデオ信号記憶部から読み出されるデジタルビデオ信号の読出し速度が一定となり、再生装置から伝送される直交変調された色信号を含むアナログビデオ信号は正しく復調される。
【００１６】
また、前記ビデオ信号記憶部に記憶されたデジタルビデオ信号の量を監視し、量に応じて前記ビデオ信号記憶部に記憶されたデジタルビデオ信号の補間処理を行う補間処理部を備える再生装置とすることもできる。これにより、２つの独立に発生されるクロックによりビデオ信号記憶部にビデオ信号を書き込む書き込み速度とビデオ信号記憶部からビデオ信号を読み出す読み出し速度に差が生じても、ビデオ信号記憶部がオーバーフロー又はアンダーフローを生じることを防ぐことができる。
【図面の簡単な説明】
【００１７】
【図１】本発明の一実施の形態としての再生装置のブロック図である。
【図２】本実施の形態における補間処理の説明図である。
【図３】ＤＶＤプレーヤとＡＶアンプ及び表示装置との接続例を示す図である。
【図４】本発明の他の実施の形態にかかる再生装置のブロック図である。
【発明を実施するための最良の形態】
【００１８】
以下、本発明の一実施の形態としての再生装置について、図面を参照しつつ詳細に説明する。本実施の形態にかかる再生装置は、図３に示すように、ＩＥＥＥ１３９４インターフェイスを介してオーディオ信号をＡＶアンプ等に伝送するとともに、ビデオケーブルを介してＴＶ等の表示装置にアナログビデオ信号を伝送する。なお、以下に示す実施の形態は一例であり、これに限定されない。【００１９】
図１に、本実施の形態にかかる再生装置のブロック図を示す。図１に示す再生装置は、再生部５と、信号分離部６と、オーディオデコーダ７と、オーディオ信号記憶部８と、ＩＥＥＥ１３９４インターフェイス（Ｉ／Ｆ：Interface）９と、ビデオデコーダ１０と、ビデオ信号記憶部１１と、フレーム記憶部１２と、ＤＡＣ（Digital to Analog Converter）１３と、ビデオ信号出力部１７と、第１発振部１４と、第２発振部１５と、補間処理部１６と、を備える。【００２０】
再生部５は、記録媒体から圧縮されたデジタルオーディオ信号とこれに同期したデジタルビデオ信号を再生する。ここで、デジタルビデオ信号はコンポーネント信号である。記録媒体は、Ｖｉｄｅｏ−ＣＤ（Compact Disc）、ＤＶＤ（Digital Versatile Disc）、ブルーレイディスク（Blu-Ray Disc）、ＨＤ−ＤＶＤ（High-Definition DVD）等の光ディスクであってもよく、ＨＤ（Hard Disk）等であってもよい。再生部５は、光ディスクから再生する場合には光ピックアップ等を備えたディスクドライブから構成され、ＨＤから再生する場合にはＨＤＤ（Hard Disk Drive）から構成される。【００２１】
信号分離部６は、再生部５が再生した信号をデジタルオーディオ信号とデジタルビデオ信号に分離する。【００２２】
オーディオデコーダ７は、信号分離部６から入力されたデジタルオーディオ信号を図示しないリードバッファに記憶し、リードバッファに記憶されたデジタルオーディオ信号をデコードする。記録媒体から読み出された信号が、リニアＰＣＭ（Pulse Code Modulation）のような非圧縮の信号であれば体裁を整えるのみで出力する。【００２３】
オーディオ信号記憶部８は、オーディオデコーダ７によりデコードされたデジタルオーディオ信号を記憶する。オーディオ信号記憶部８に記憶されたデジタルオーディオ信号は、記憶された順番で順次読み出される。【００２４】
ＩＥＥＥ１３９４インターフェイス９は、ＩＥＥＥ−１３９４規格に準拠したデジタルインターフェイスであり、オーディオ信号記憶部８から入力されたデジタルオーディオ信号をＡ＆Ｍプロトコルのフォーマットに変換する。ＩＥＥＥ１３９４インターフェイス９はＩＥＥＥ１３９４接続端子２１を介してＩＥＥＥ１３９４シリアルバス２２に接続される。ＩＥＥＥ１３９４シリアルバス２２の一端には、ＡＶアンプ等が接続され、Ａ＆Ｍプロトコルのフォーマットに変換されたデジタルオーディオ信号がＡＶアンプ等に伝送される。【００２５】
また、逆に、ＩＥＥＥ１３９４インターフェイス９は、ＡＶアンプ等からの制御コマンドを受け付ける。オーディオ信号の伝送先から非同期プロトコル（AV/C Digital Interface Command Set General Specification）によるレート制御コマンドを受信する。【００２６】
ビデオデコーダ１０は、信号分離部６から入力されたデジタルビデオ信号を図示しないリードバッファに記憶し、例えばＭＰＥＧ（Moving Picture Experts Group）方式の伸長プロトコルによりリードバッファに記憶されたデジタルビデオ信号をデコードする。【００２７】
ビデオ信号記憶部１１は、ビデオデコーダ１０がデコードしたデジタルビデオ信号を記憶する。ビデオ信号記憶部１１に記憶されたデジタルビデオ信号は、１フレームのデジタルビデオ信号が順次読み出される。【００２８】
フレーム記憶部１２は、ビデオ信号記憶部１１から出力された１フレームのデジタルビデオ信号を記憶する。【００２９】
ＤＡＣ１３は、フレーム記憶部１２からのデジタルビデオ信号をアナログビデオ信号に変換する。ＤＡＣ１３から出力されるビデオ信号は、アナログコンポーネント信号である。【００３０】
ビデオ信号出力部１７は、ＤＡＣ１３からのアナログビデオ信号を、直交変調された色信号を含むアナログビデオ信号に変換して出力する。例えば、ビデオ信号出力部１７は、ＮＴＳＣ（National Television Standards Committee）／ＰＡＬ（Phase Alternation by Line）エンコーダを含んで構成され、アナログコンポーネント信号を、例えば、アナログコンポジット信号やアナログS-Video信号に変換する。【００３１】
ビデオ信号出力部１７からのアナログビデオ信号は、ビデオ出力端子２０を介して表示装置に伝送される。表示装置は、アナログビデオ信号に基づいて画像表示可能なものであれば、ＴＶ、プロジェクタ等いかなる構成であってもよい。【００３２】
第１発振部１４は、例えば水晶振動子を含んで構成され、再生部５、信号分離部６、オーディオデコーダ７、オーディオ信号記憶部８、ＩＥＥＥ１３９４インターフェイス９、ビデオデコーダ１０及びビデオ信号記憶部１１による、再生装置からのデジタルビデオ信号の出力（伝送）動作を制御するクロックを発振する。再生装置からのデジタルビデオ信号の伝送レートは基本的に再生部５における読み出し速度が律する。【００３３】
第１発振部１４は、ＩＥＥＥ１３９４インターフェイス９を介してデジタルオーディオ信号の伝送先から非同期プロトコル（AV/C Digital Interface Command Set General Specification）によるレート制御コマンドを受信すると、受信したレート制御コマンドに応じて、発振するクロックの周波数を変動させる。第１発振部１４からオーディオ信号記憶部８に入力されるクロックの周波数が変動すると、オーディオ信号記憶部８から読み出されるデジタルオーディオ信号の読み出し速度が変動に応じて制御される。このようにして、再生装置から伝送されるデジタルオーディオ信号の伝送レートはＡＶアンプ等の伝送先からのレート制御コマンドに基づいて制御される。【００３４】
第２発振部１５は、例えば水晶振動子を含んで構成され、フレーム記憶部１２、ＤＡＣ１３、ビデオ信号出力部１７及びビデオ信号記憶部１１のデジタルビデオ信号の読出しの動作を制御するクロックを固定周波数で発振する。第２発振部１５は、再生装置からのビデオ信号の出力（伝送）動作を制御する。再生装置からのビデオ信号の出力レートは、基本的にビデオ信号記憶部１１からのビデオ信号の読み出し速度が律する。【００３５】
第２発振部１５が発振するクロックの周波数は固定されているため、ビデオ信号記憶部１１に記憶されたデジタルビデオ信号の読み出し速度が一定になる。このため、再生装置から表示装置へ伝送されるアナログビデオ信号の伝送レートを一定にすることができる。【００３６】
補間処理部１６は、ビデオ信号記憶部１１に記憶されるデジタルビデオ信号の容量を監視し、状態に応じて補間処理を行う。具体的には、補間処理部１６は、ビデオ信号記憶部１１に記憶されたデジタルビデオ信号の記憶容量が所定の上限のしきい値より多くなると、ビデオ信号記憶部１１に記憶されたビデオ信号を削除する。また、補間処理部１６は、ビデオ信号記憶部１１に記憶されたデジタルビデオ信号の記憶容量が所定の下限のしきい値より少なくなると、ビデオ信号記憶部１１から読み出されるデジタルビデオ信号を追加する。【００３７】
次に、本実施の形態にかかる再生装置において、ＩＥＥＥ１３９４シリアルバスを介してデジタルオーディオ信号の伝送先からレート制御コマンドを受信するときの再生動作を説明する。【００３８】
第１発振部１４は、ＩＥＥＥ１３９４インターフェイス９を介して接続されたＡＶアンプからレート制御コマンドを受信すると、受信したレート制御コマンドに基づいて発振するクロックの周波数を変動させる。オーディオ信号記憶部８は、変動したクロックに応じてデジタルオーディオ信号の読み出し速度を変動させる。このようにして、再生装置から伝送されるデジタルオーディオ信号の伝送レートは伝送先からのレート制御コマンドに基づいて制御される。これにより、再生装置とＡＶアンプ等との間のオーディオ信号の処理タイミングは一致し、ジッタの発生は防がれる。【００３９】
また、一方、第２発振部１５は、一定した周波数のクロックを発振し続ける。このため、本実施の形態では、ビデオ信号記憶部１１から読み出されるデジタルビデオ信号の読出し速度が一定となり、再生装置から表示装置へ伝送されるアナログビデオ信号の伝送レートは一定に維持される。このため、再生装置から伝送される直交変調された色信号を含むアナログビデオ信号について、その伝送レートが変動することはなく、色差信号は正しく復調される。この結果、表示装置に表示されるカラー映像に色ずれが発生することやカラー映像がモノクロとして再生されることは確実に防がれる。【００４０】
ここで、第１発振部１４が第２発振部１５から発振されるクロックの周波数と異なる周波数のクロックを発振し続けると、お互いのクロックの周波数の差によって、ビデオ信号記憶部１１にオーバーフロー又はアンダーフローが生じる可能性がある。ビデオ信号記憶部１１にオーバーフロー又はアンダーフローが生じると、ビデオ信号記憶部１１からビデオ信号を読み出すことができなくなり、表示装置に出力されるビデオ信号が途切れる。この場合、ビデオ信号はオーディオ信号に対して遅れて出力される。【００４１】
ビデオ信号記憶部１１にオーバーフローが生じる場合は、第１発振部１４からビデオ信号記憶部１１へ入力するクロックの周波数が第２発振部１５からビデオ信号記憶部１１へ入力するクロックの周波数よりも高い場合、すなわち、ビデオ信号記憶部１１へのデジタルビデオ信号の書き込み速度が読み出し速度よりも高い場合である。ビデオ信号記憶部１１にアンダーフローが生じる場合は、第１発振部１４からビデオ信号記憶部１１へ入力するクロックの周波数が第２発振部１５からビデオ信号記憶部１１へ入力するクロックの周波数よりも低い場合、すなわち、ビデオ信号記憶部１１へのデジタルビデオ信号の書き込み速度が読み出し速度よりも低い場合である。【００４２】
補間処理部１６は、このような２つのクロック周波数の違いに基づくビデオ信号記憶部１１のオーバーフロー及びアンダーフローを防ぐために、ビデオ信号記憶部１１に記憶されるデジタルビデオ信号の容量を監視し、容量に応じて補間処理を行う。保管処理部１６は、ビデオ信号記憶部１１の記憶容量に上限のしきい値及び下限のしきい値を設定し、デジタルビデオ信号の記憶容量を監視する。しきい値はデフォルトで設定されていてもよい。図２に、補間処理部１６がビデオ信号記憶部１１の容量を監視し、補間処理を行う動作を説明する図を示す。【００４３】
図２（ａ）は、ビデオ信号記憶部１１に記憶されたデジタルビデオ信号の容量が上限のしきい値より多くなる直前の状態を示す。補間処理部１６は、ビデオ信号記憶部１１に記憶されたデジタルビデオ信号の記憶量が上限のしきい値より多くなると、例えば、ビデオ信号記憶部１１に記憶された最も古い１フレームに相当するデジタルビデオ信号を削除する。【００４４】
図２（ｂ）は、ビデオ信号記憶部１１に記憶されたデジタルビデオ信号の記憶容量が下限のしきい値より少なくなる直前の状態を示す。補間処理部１６は、ビデオ信号記憶部１１に記憶されたデジタルビデオ信号の記憶容量が前記下限のしきい値より少なくなると、例えば、デジタルビデオ信号の記憶容量が前記下限のしきい値よりも少なくなる直前に読み出された１フレームに相当するデジタルビデオ信号を再度、ビデオ信号記憶部１１から読み出す制御をする。もちろん、前後のフレームから新たなフレームを作成し、追加するようにしてもよい。【００４５】
以上のように、補間処理部１６は、ビデオ信号記憶部１１のデジタルビデオ信号の記憶容量を監視し、ビデオ信号記憶部１１にデジタルビデオ信号の補間処理をするので、２つのクロック周波数の差に基づいてビデオ信号記憶部１１にオーバーフロー又はアンダーフローが生じることを防ぐことができる。したがって、光ディスクに記録されたオーディオ信号及び当該オーディオ信号に同期したビデオ信号がスピーカ及び表示装置から再生されるとき、再生されるビデオ信号の再生が途切れ、オーディオ信号と同期したビデオ信号が当該オーディオ信号に対して遅れて再生されることを防止することができる。【００４６】
以上説明したように、本実施の形態にかかる再生装置は、レート制御コマンドによって変動するオーディオ信号の伝送レートを定めるクロックを発する第１発振部１４とは別に、ビデオ信号の伝送レートを定める一定周波数のクロックを発する第２発振部１５を備える。これにより、レート制御コマンドを受信しても、表示装置へ伝送されるアナログビデオ信号の伝送レートが一定となり、直交変調された色信号を含むアナログビデオ信号（例えば、アナログコンポジット信号、アナログS-Video信号）についても、表示装置で正しく復調される。この結果、表示装置に再生されるカラー映像に色ずれが発生することやカラー映像がモノクロとして再生されることを防ぐことができる。【００４７】
また、本実施の形態の再生装置は、ビデオ信号記憶部１１の記憶容量を監視し、監視状態に応じて補間する補間処理部１６を備える。これにより、２つの独立に発生されるクロックによりビデオ信号記憶部１１にビデオ信号を書き込む書き込み速度とビデオ信号記憶部１１からビデオ信号を読み出す読み出し速度に差が生じても、ビデオ信号記憶部１１がオーバーフロー又はアンダーフローを生じることを防ぐことができる。【００４８】
上記実施の形態では、補間処理部１６は、ビデオ信号記憶部１１の記憶量に基づいて補間処理を行うものとした。しかし、これに限らず、図４に示すように、第１発振部１４及び第２発振部１５の発するクロックに基づいて補間処理を行うようにしてもよい。図４の実施の形態は、図１の実施の形態と比べ、補間処理部１６の補間処理のみの違いであるため、他の図１と同符号を付したブロックは図１の実施の形態における各ブロックと同じ機能を果たしている。【００４９】
また、上記実施の形態では、本発明をＩＥＥＥ１３９４インターフェイスを備えた再生装置に用いた場合を例として説明した。しかし、これに限らず、オーディオ信号の伝送先から伝送元の伝送レートを制御可能なインターフェイスであればいかなるものであってもよい。【００５０】
上記で詳細に説明したものは本発明の例に過ぎず、本発明の新規な開示及び利点から大きく逸脱することなしに、当該例示的な実施形態において多くの修正が可能であることは当業者には容易に理解されるであろう。従って、かかる修正のすべてが本発明の範囲内に含まれると意図される。【００５１】
日本特許出願特願２００５−１８９０８８（２００５年６月２９日出願）は、明細書、特許請求の範囲、図面及び要約書を含め、その全体が参照される。
【産業上の利用可能性】
【００５２】
本発明は、記録媒体に記録されたデジタルオーディオ信号とデジタルビデオ信号とを同期再生する技術に用いて極めて有用である。
【図１】
2007000836.tif 000002
【図２】
2007000836.tif 000003
【図３】
2007000836.tif 000004
【図４】
2007000836.tif 000005
【国際調査報告】
2007000836.tif 000006
2007000836.tif 000007
2007000836.tif 000008
2007000836.tif 000009